(57)【要約】      （修正有）【課題】複数の機能、特に視覚的に審美的な機能に加えて制振（ｄａｍｐｉｎｇ）機能を果たすことが可能であり、且つ軽量化、費用節減、且つ単純な態様で製造でき、取り付け時の位置決めが容易な自動車用の据え付け具を提供する。【解決手段】据え付け具１０は第１部分領域４及び第２部分領域を有し、第１部分領域は接続領域により第２部分領域に一体的に接続され、且つ第１部分領域は接続領域により第２部分領域に対して事前取り付けすることが出来るように提供される。【選択図】図１
2014054981.tif 000002
【特許請求の範囲】
【請求項１】
特に自動車用の、第１部分領域（１）及び第２部分領域（４）を有する据え付け具（１０）であって、前記第１部分領域（１）が、接続領域（６）により第２部分領域（４）に一体的に接続される据え付け具（１０）において、前記第１部分領域（１）が、前記接続領域（６）により前記第２部分領域に対して事前取り付けされ得るように提供されることを特徴とする、据え付け具（１０）。
【請求項２】
前記接続領域（６）により、前記第１部分領域（１）が、前記第２部分領域（４）に対して移動可能に、特に折り畳み可能に提供されることを特徴とする、請求項１に記載の据え付け具（１０）。
【請求項３】
前記第１部分領域（１）及び／又は前記第２部分領域（４）が、前記第２部分領域（４）に対して前記第１部分領域（１）を事前取り付けするための締結要素（３）を備えることを特徴とする、請求項１又は２に記載の据え付け具（１０）。
【請求項４】
前記事前取り付けのされた状態において、前記第１部分領域（１）が、前記第２部分領域（４）に対して不可逆的に配置されることを特徴とする、請求項１乃至３の１つに記載の据え付け具（１０）。
【請求項５】
前記第１部分領域（１）が、主に被覆機能を有することを特徴とする、請求項１乃至４の１つに記載の据え付け具（１０）。
【請求項６】
前記第１部分領域（１）が、特に前記事前取り付けのされた状態において前記第２部分領域（４）から離れた側面に、可視側面を有することを特徴とする、請求項１乃至５の１つに記載の据え付け具（１０）。
【請求項７】
前記第２部分領域（４）が、主に吸収機能を有することを特徴とする、請求項１乃至６の１つに記載の据え付け具（１０）。
【請求項８】
前記第２部分領域（４）が、ハニカム構造（５）を有することを特徴とする、請求項１乃至７の１つに記載の据え付け具（１０）。
【請求項９】
前記接続領域（６）が、フィルムヒンジとして提供されることを特徴とする、請求項１乃至８の１つに記載の据え付け具（１０）。
【請求項１０】
前記第１部分領域（１）及び前記第２部分領域（４）が、実質的に同時に成形されることを特徴とする、請求項１乃至９の１つに記載の据え付け具（１０）を製造する方法。
【発明の詳細な説明】
【技術分野】
【０００１】
本発明は、接続領域により第１部分領域が第２部分領域に一体的に接続される、第１部分領域及び第２部分領域を有する据え付け具、特に自動車用の据え付け具に関する。
【背景技術】
【０００２】
このような据え付け具は、特に、車両室内裏張り用に一般的に知られている。例えば、自動車の側部領域の衝撃保護装置用の補強部品が、独国公開特許出願ＤＥ１０２００４０３４１２４Ａ１から知られており、補強部品は、互いに接続される棒から構成される骨組みを備える。棒は、この接続において、樹脂から作られ、且つハニカム構造に設計される。従来技術の欠点は、据え付け具と共にハニカム構造を製造する場合、少なくとも直接的に、ハニカム構造が前面（すなわち、ハニカム構造から離れた据え付け具の側面）に可視であることが避けられない点である。
【０００３】
それ故、複数の機能、特に視覚的に審美的な機能に加えて制振（ｄａｍｐｉｎｇ）機能を果たすことが可能であり、且つ軽量化、費用節減、軽量で且つ単純な態様で製造することが可能な据え付け具であって、第１部分領域及び一体的に接続される第２の部分領域を有する据え付け具、特には自動車用の据え付け具を提供することが本発明の目的である。
【発明の概要】
【０００４】
目的は、第１部分領域が接続領域により第２部分領域に一体的に接続され、且つ第１部分領域が接続領域により第２部分領域に対して事前取り付けされ得るように提供される、第１部分領域及び第２部分領域を有する据え付け具、特には自動車用の据え付け具によって達成される。
【０００５】
結果として、本発明によれば特に費用効率の優れた態様で、複数の異なる機能、特にこうした異なる機能を実装するために提供される事前取り付け、すなわち、自動車及び／又は自動車構成部品に据え付け具を取り付けるために、第２部分領域を折り畳むこと、を実現させる一体的構成部品を提供することが可能である。
【０００６】
本発明によれば、接続領域によって、第１部分領域が、第２部分領域に対して移動可能に、特には折り畳み可能に提供されることが好ましい。結果として、特に単純且つ直感的な態様で、第１部分領域が第２部分領域に対して事前取り付けされることが可能であり、互いに対する部分領域の誤った位置決め及び／又は事前取り付けが、不可能であり且つ／又は最大限に可能な限り排除される。
【０００７】
さらに、本発明によれば、第１部分領域及び／又は第２部分領域は、第２部分領域に対して第１部分領域を事前取り付けするために締結要素を備えることが好ましい。結果として、事前取り付けは、極めて単純且つ信頼性のある態様で行われることが可能であると共に、据え付け具の機能の全種類が実装されることが可能である。
【０００８】
さらに、本発明によれば、事前取り付け状態において、第１部分領域が第２部分領域に対して不可逆的に配置されることが好ましい。結果として、事前取り付け後の第２部分領域に対する第１部分領域の配置のさらなる解除により引き起こされ得る機能不良が、他の場合には起こり得るが、実質的に回避され得る。さらに、結果として、据え付け具の取り付け中の誤りの可能性がさらに低減され、すなわち据え付け具の部分領域の誤使用及び／又は誤配置の可能性が著しく低減される。図示の第２部分領域に対する第１部分領域の不可逆接続及び／又は配置の代替として、本発明によれば、また必然的に好ましくは、部分領域が互いに対して可逆的に配置されることが提供され得る。これは、例えば、据え付け具の置換又は据え付け具の解体を必要とする、例えば修復作業等の場合に有利である。
【０００９】
さらに、本発明によれば、第１部分領域が、主として被覆機能を有することが好ましい。結果として、据え付け具は特定の視覚的及び／又は審美的機能を果たさなければならず、特に少なくとも据え付け具の１側面及び／又は１側面の部分領域が、いわゆる可視面として提供され、すなわち、このような側面は、ユーザが車両内又は車両外の通常の場所に位置する場合に、当該ユーザ、特に車両ユーザにより観察され得るものである。
【００１０】
本発明によれば、特に、事前取り付けされた状態の第２部分領域から離れた側面に、第１部分領域が可視面を有することがさらに好ましい。結果として、本発明によれば、ある程度は、互いに一体的に接続される２つの部分領域を製造すると共に視覚的に魅力的な可視面をも製造することが共に可能である。
【００１１】
さらに、本発明によれば、第２部分領域が、主として吸収機能及び／又は制振機能を有することが特に好ましい。結果として、据え付け具の視覚的審美的機能とは別に、一体的な態様で安全機能が組み込まれてもよく、よって非常に費用効率が良く、その結果、自動車の安全性のレベルが全体的に、費用効率の良い態様で容易に増強され得る。
【００１２】
第２部分領域は、ハニカム構造を有し且つ／又は接続領域は、フィルムヒンジとして提供されることが特に好ましい。結果として、吸収機能及び／又は制振機能並びに第２部分領域の容易な事前取り付けのための能力が、特に単純な態様で実装され得る。
【００１３】
本発明のさらなる主題は、本発明による据え付け具を製造するための方法であって、第１部分領域及び第２部分領域が、実質的に同時に成形される。結果として、据え付け具の製造中の費用が特に節減されることが可能であり、さらに複数の機能を有する据え付け具が提供されることが可能である。さらに、この複数の機能を生成することにより、単一の据え付け具（一体的製造）によって、複数の部品数等の結果としての、何らかの不必要な運搬上の複雑さを必要としないことが保証され、しかし、機能を実装するために必要な構成部品数ひいては費用が低減され得る。
【００１４】
本発明の例示的な実施形態が、図面で示されると共に、以下の記載でより詳細に説明される。
【図面の簡単な説明】
【００１５】
【図１】互いに対する第１位置における第１部分領域及び第２部分領域を有する本発明による据え付け具を示す。
【図２】異なる部分視における、互いに対する２つの部分領域の異なる相対的な位置を示す。
【図３】互いに対する部分領域の事前取り付けされた状態及び／又は事前取り付けされた調整位置における据え付け具を示す。
【発明を実施するための形態】
【００１６】
図１、２及び３では、第１部分領域１及び第２部分領域４を有する１つの各々の据え付け具１０が示される。部分領域１、４は接続領域６によって互いに一体的に接続され、且つ部分領域１、４は、接続領域６によって互いに対して事前取り付けされ、特に折り畳まれることが可能なように提供される。結果として、本発明によれば、特に単純な態様で且つ比較的に費用効率良く、特に自動車の室内に、据え付け具１０を提供することが可能であり、それは通常の座位又は観測及び／若しくは観察位置における自動車のユーザによって視認可能な前面並びに座席ユーザ及び／又は自動車ユーザの視界から隠された後面２を有し、据え付け具１０の取り付け後、補強要素４が据え付け具１０の第２部分領域４として後面２の領域に提供される。例えば、衝撃又はさらに音響振動等を吸収するための、補強又は制振要素が、事故の場合又は本体壁若しくは他の付属品及び／若しくは後部における、すなわち後面２に面する他の車両構造からの音響的干渉の場合にさえ、据え付け具１０を、例えば支持し及び／又は音響的に絶縁し得る。この接続において、据え付け具１０は、後面２に反対するその前面及び／又は可視面上に構造を有し、並びに／又は触覚に関する快適要件及び／若しくは座席ユーザ及び／若しくは車両ユーザの視覚的側面及び／若しくは美学に関する快適及び／若しくは審美的要件が考慮に入れられ得るように相応じて設計される。補強要素４（車両ユーザに視認可能でない）は、こうした審美的要件を満たす必要はないが、安定性、制振性等に関する他の要件を満たさなければならない。本発明によれば、構成部品の数を減らし且つ運搬要件及び取り付け費用を単純化するために、ひいては全体として自動車及び／又は自動車座席の費用効率の良い製造のために、据え付け具１０は、第２部分領域４において補強要素４を一体的に取り囲む一体化された及び／又は一体的な据え付け具１０として提供されることになる。この接続において、例えば、射出成形、ダイキャスト鋳造法等による樹脂部品の一体的な製造方法が参照されてもよい。取り付け状態において提供される第２部分領域４の位置における、本発明とは対照的に提供される、第２部分領域４の直接的取り付け及び／又は位置決めは、例えば、特に補強要素４及び／又は第２部分領域４の領域において、第１部分領域１の前面の視覚的品質が、スキンマーク、フローマーク又は他の模様により損なわれることにより、この場合は著しくより高費用又は複雑になり得る。
【００１７】
本発明によれば、第１部分領域１及び第２部分領域４を有して費用効率良く且つ容易に製造することが出来る据え付け具１０は、部分領域１、４が互いに接続されて接続領域６によって確実にされることにより製造されるが、製造中に比較的長い間隔である第１部分領域１及び第２部分領域４の位置のために、部分領域１、４を製造するための処理パラメータは、果たされる個々の部分領域１、４の機能性及び／又は機能と各々最適な態様で適合させられることが出来るように選択されても良い。特に、結果として、第１及び／又は第２部分領域１、４の成形がより大きな柔軟性を有して、例えば、第１部分領域１のアンダーカットが、第２部分領域４の近くに、後に位置決めされることが出来ることも可能であり、それは第１部分領域１に対する第２部分領域４の後の位置の厳密な点において第２部分領域４を製造する場合には不可能であろう。
【００１８】
好ましくは、接続領域６の柔軟性のために、第２部分領域４は第１部分領域１に折り畳み可能に固定され、その結果第２部分領域４を折り畳むことによって第１部分領域１上に第２部分領域４の事前取り付けが可能になる。これは、複数の部分画像を参照して図２に示される。図２ａでは、例えば、据え付け具１０の成形工程中及び／又は製造工程中の場合における、互いに対する２つの部分領域の位置決めが示される。図２ｂ、２ｃ及び２ｄでは、続いて、例示ではフィルムヒンジとして構成される、接続領域６についての第２部分領域４の折り畳みが示される。図２ａ〜２ｄでは、図２ｅに示される第１部分領域１に対する第２部分領域４のラッチ位置及び／又は事前取り付け位置において、第１部分領域１への第２部分領域４の締結、特にラッチが行われるように、それぞれ第１部分領域１又は第２部分領域４又は両方の部分領域１、４に配置される、複数の締結要素３が特に明確に観察出来る。第１部分領域１に対する第２部分領域４のこの事前取り付け状態は、図３においても再度示され、さらに拡大される。第２部分領域４及び／又は補強要素４は、例えば、図１に示されるハニカム構造５を有してもよく、それにより、例えば事故の場合に、エネルギーが変形により消散され得る。さらに、補強要素４及び／又は第２部分領域４は、ハニカム構造５の周囲に皿型構造を有しても良い。しかし、本発明によれば、ハニカム構造５が皿型構造に結合されないことも可能である。さらに、本発明によれば、後の第２部分領域４に対応する樹脂成形型の（不図示）の一部は、インサート並びに／又は補強及び／若しくは制振及び／若しくは吸収層並びに／又は対応材料が、第２部分領域４の事前取り付け状態における第１部分領域１に面する側、又は反対側（第２部分領域４の後面）上のいずれかに配置されるように、例えば制振材から作られ又は任意の他の機能を有するインサート等を備える。特に、第１部分領域１の後面２上の据え付け具１０の製造及び／又は成形工程の間に形成されるハニカム構造５と共に、特にカバーの態様で設計される第１部分領域の比較的小さな厚みを有するこのハニカム構造５は、第１部分領域１の前側及び／又は可視側に突出するであろう。
【００１９】
本発明によれば、据え付け具１０の補強要素４及び／又は第２部分領域４は、フィルムヒンジとして構成される接続領域６によって第１部分領域１及び／又はカバー１に接続される。これは、射出成形によって、例えば、射出成形型（不図示）における、補強要素４のためのキャビティによって製造中に行われ、それはカバー１及び／又は第１部分領域のためのキャビティに隣接した位置、及び後の取り付け位置に対して１８０度回転された位置に配置され、両方のキャビティはフィルムヒンジ及び／又は接続領域６のための薄い凹所により接続される。このように型から製造された据え付け具を取り除いた後、補強要素４及び／又は第２部分領域４は（図２ａから図２ｅによる動作順序に示されるように）、接続領域６のフィルムヒンジを折り曲げることにより、第１部分領域１の後面２上に折り畳まれ、且つ特に、ラッチフックとして構成される締結要素３によりそこにラッチされ得る。この状態で、第２部分領域４は、事前取り付けされ、このように事前取り付けされた据え付け具１０は、続いて車両座席に及び／又は車両の任意の他の場所に結合されてもよい。
【００２０】
本発明による据え付け具１０の構造によって、特に単純且つ柔軟な態様で、据え付け具１０の異なる領域の異なる機能的要件が考慮され、さらに据え付け具１０の単純且つ費用効率の優れた製造能力が確保されることが可能であり、第１部分領域１に対する第２部分領域４の事前組み立て中の誤りの可能性が、例えば、１つのみの折り畳み方向及び／又は折り畳み動作が可能であることにより、さらに回避されることが可能である。
【符号の説明】
【００２１】
１      第１部分領域／カバー
２      後面
３      締結要素／ラッチフック
４      第２部分領域／補強要素
５      ハニカム構造
６      接続領域／フィルムヒンジ
１０    据え付け具
【図１】
2014054981.tif 000003
【図２】
2014054981.tif 000004
【図３】
2014054981.tif 000005
【手続補正書】
【提出日】平成25年10月22日(2013.10.22)
【手続補正１】
【補正対象書類名】特許請求の範囲
【補正対象項目名】全文
【補正方法】変更
【補正の内容】
【特許請求の範囲】
【請求項１】
自動車用の、第１部分領域（１）及び第２部分領域（４）を有する据え付け具（１０）であって、前記第１部分領域（１）が、接続領域（６）により第２部分領域（４）に一体的に接続される据え付け具（１０）において、前記第１部分領域（１）が、前記接続領域（６）により前記第２部分領域に対して事前取り付けされ得るように提供され、前記第２部分領域（４）はハニカム構造（５）を有し、前記第２部分領域は衝撃又は音響振動の吸収機能を有することを特徴とする、据え付け具（１０）。
【請求項２】
前記第１部分領域（１）は、事前取り付けのされた状態において前記第２部分領域（４）から離れた側面に、可視側面を有し、前記可視側面は、前記据え付け具（１０）が前記自動車の中に取り付けられると前記自動車の乗員によって視認可能であることを特徴とする、請求項１に記載の据え付け具（１０）。
【請求項３】
前記第１部分領域（１）は、前記第１部分領域（１）の前記可視側面を被覆する機能を有することを特徴とする、請求項１又は２に記載の据え付け具（１０）。
【請求項４】
前記第１部分領域（１）及び前記第２部分領域（４）は、前記第２部分領域（４）に対して前記第１部分領域（１）を事前取り付けするための締結要素（３）を備えることを特徴とする、請求項１乃至３の１つに記載の据え付け具（１０）。
【請求項５】
前記接続領域（６）は、フィルムヒンジ（６）として提供されることを特徴とする、請求項４に記載の据え付け具（１０）。
【請求項６】
前記第１部分領域（１）は、前記可視側面の反対側の裏面を有し、
前記フィルムヒンジ（６）を折り曲げることにより事前取付けされる場合に、前記第２部分領域（４）の前記ハニカム構造（５）が前記第１部分領域（１）の前記裏面と対向する関係になるように、前記第２部分領域（４）は前記第１部分領域（１）の前記裏面の上に略１８０度折り曲げられ、
前記締結要素（３）によって事前取付けされる場合に、前記第２部分領域（４）は前記第１部分領域（１）の前記裏面にラッチされることを特徴とする、請求項５に記載の据え付け具（１０）。
【請求項７】
前記第２部分領域（４）は、前記ハニカム構造（５）の周囲に皿型構造を有することを特徴とする、請求項１乃至６の１つに記載の据え付け具（１０）。
【請求項８】
前記第２部分領域（４）が事前取り付け位置にある場合に、前記ハニカム構造（５）が視認できないように、前記皿型構造及び前記第１部分領域（１）の前記裏面は前記ハニカム構造（５）を取り囲むことを特徴とする、請求項７に記載の据え付け具（１０）。
【請求項９】
前記接続領域（６）により、前記第１部分領域（１）は、前記第２部分領域（４）に対して折り畳み可能に提供されることを特徴とする、請求項１乃至８の１つに記載の据え付け具（１０）。
【請求項１０】
事前取り付けのされた状態において、前記第１部分領域（１）は、前記第２部分領域（４）に対して不可逆的に配置されることを特徴とする、請求項１乃至９の１つに記載の据え付け具（１０）。
【請求項１１】
前記第１部分領域（１）及び前記第２部分領域（４）が、同時に成形されることを特徴とする、請求項１乃至１０の１つに記載の据え付け具（１０）を製造する方法。
【外国語明細書】
2014054981.tif 000006
2014054981.tif 000007
2014054981.tif 000008
2014054981.tif 000009
2014054981.tif 000010
2014054981.tif 000011
2014054981.tif 000012
2014054981.tif 000013
2014054981.tif 000014
2014054981.tif 000015
2014054981.tif 000016
2014054981.tif 000017
2014054981.tif 000018
2014054981.tif 000019
2014054981.tif 000020
2014054981.tif 000021
2014054981.tif 000022